(57)【特許請求の範囲】
【請求項１】
パイプ体により形成されたスタンド本体と、海水取水管の取水口を取り付ける取付部とを備えた海水取水管の取水口取付スタンドにおいて、前記スタンド本体のパイプ体を水密構造にし、そのパイプ体内に水を充填して密閉してなることを特徴とする海水取水管の取水口取付スタンド。
【発明の詳細な説明】
【０００１】
【発明の属する技術分野】
本発明は海水取水管の取水口取付スタンドに関するものである。
【０００２】
【従来の技術】
近年、海水取水管を水深２００ｍ以上の深海底に布設して、深海底の清浄で栄養分を多く含む海水（深層水）を陸上や船上等に揚水し、海産物の飼育、養殖、塩生成、冷却水、淡水化後の工業用水、飲料水等に広く利用されつつある。このような深海底の海水を揚水するために海底に布設された海水取水管の取水口は、海水と一緒に海底の土砂等まで揚水しないように、取水口取付スタンドに取り付けて支持固定させている。図６（イ）（ロ）は従来の取水口取付スタンド１の構成を示すもので、（イ）は正面図、（ロ）は平面図である。この取水口取付スタンド１は、鋼製のパイプ体４により形成されたスタンド本体２と、海水取水管５の取水口５ａを取り付ける取付部３４とを備えて構成され、海底６上に設置される。そして、海水取水管５の取水口５ａが海底６から所定の高さ位置のところに配置されるようになっている。
【０００３】
【発明が解決しようとする課題】
しかしながら、この取水口取付スタンド１を構成するスタンド本体２の鋼製のパイプ体４は密閉構造になっておらず、端末部やパイプ溶接部等に多数の開口、隙間を有するため、取水口取付スタンド１を海底６に設置して使用中に、海水がパイプ体４内を自由に対流することになる。そうすると、新鮮な海水中に含まれる酸素量が通常の海水よりも多いため、必然的に該パイプ体４の内壁面に接触する酸素量が多くなる。このため、その内壁面が早期に酸化を起こして、錆の進行が早くなる。パイプ体４の錆の進行が早まると、パイプ体４の機械的強度が低下して、取水口取付スタンド１が短期間で破損し、海水取水管５の取水口５ａを所定高さ位置に保持することができなくなるので、海水の揚水を長期間安定して行うことが困難になるという問題があった。また、取水口取付スタンド１が破損すると、これを海底６から引き上げて修理したり、新しいものと取り換えたりするのに手間と時間を要し、メンテナンスが容易でないという問題があった。
【０００４】
本発明は上記の問題を解決し、取水口取付スタンドを海底に設置して使用中に、スタンド本体のパイプ体の内壁面に発生する錆の進行を可及的に遅らせ、取水口取付スタンドの早期破損を防止すると共に、そのメンテナンスを容易にして、海水の揚水作業を長期間安定して行えるようにした海水取水管の取水口取付スタンドを提供するものである。
【０００５】
【課題を解決するための手段】
上記の目的を達成するために、本発明の海水取水管の取水口取付スタンドは、パイプ体により形成されたスタンド本体と、海水取水管の取水口を取り付ける取付部とを備えたものにおいて、前記スタンド本体のパイプ体を水密構造にし、そのパイプ体内に水を充填して密閉した構成になっている。
【０００６】
上記構成によると、取水口取付スタンドを海底に設置して使用しても、前記スタンド本体のパイプ体に充填された水が密閉されて該パイプ体内で対流を起こさないから、パイプ体内に充填密閉された水に含まれる酸素量が一定であり、酸化の進行に伴い減少して行く。そうすると、パイプ体の内壁面に形成される錆の進行を可及的に抑えることができ、該パイプ体の内壁面を有効に防錆することができる。
【０００７】
また、該パイプ体の機械的強度が短期間に低下せず、取水口取付スタンドが短期間に破損しないので、海水取水管の取水口が長期間にわたり所定高さ位置に保持することが可能になり、海水を長期間安定して揚水することができる。また、取水口取付スタンドが短期間で破損しないので、その寿命を延ばすことができるほか、これを海底から引き上げて修理したり、新しいものと取り換えたりする面倒な作業を相当後に延ばすことができ、メンテナンスも容易になる。
【０００８】
更に、前記パイプ体内には水を充填して密閉したことにより、海底に設置された取水口取付スタンドのパイプ体に外部から高水圧が作用しても、パイプ体内にはこの圧力とバランスする同じ大きさの内水圧が作用するから、パイプ体自体には外力が作用せず、該パイプ体の潰れを防止することもできる。
【０００９】
【発明の実施の形態】
以下、本発明の実施形態を図面により詳細に説明する。図１（イ）（ロ）は本発明に係る海水取水管の取水口取付スタンド１０の一実施形態を示す正面図及び平面図である。この取水口取付スタンド１０は、鋼製のパイプ体１６により形成されたスタンド本体１２と、海水取水管１８の取水口１８ａを取り付ける取付部１４とを備えている。
【００１０】
スタンド本体１２は、パイプ体１６をＶ形状に折り曲げ成形し、更に、Ｖ形状のパイプ体１６の両中腹部分に跨るようにパイプ体１６を横に張り渡して前記両中腹部分に固定させたＡ型のベース２０と、このベース２０の頂部及び両裾部に３本のパイプ体１６の各一端をそれぞれ固定させてそれぞれ立ち上げ、各他端を集合させて前記取付部１４に固定させる三脚部２２とから構成される。
【００１１】
取付部１４は、図２（イ）（ロ）に示すように、三角形状の取付板２４と円筒状の取付管２６とを備えている。取付板２４の底辺部には、取付管２６を組み込むための長方形状の組込み溝２４ａが形成され、取付管２６の両側面には突出ピン２６ａが設けられる。そして、前記取付板２４の組込み溝２４ａの奥側上面には組込み溝２４ａと直交する両側部に前記取付管２６の突出ピン２６ａを嵌めて枢支させる枢着溝２４ｂが形成されている。取付部１４の取付板２４はその組込み溝２４ａの開口部が前記スタンド本体１２のベース２０のＶ型開口部と同じ向きになるようにして前記スタンド本体１２の三脚部２２に固定される。
【００１２】
前記取付管２６は取付板２４の組込み溝２４ａに組み込み、取付管２６の突出ピン２６ａを取付板２４の枢着溝２４ｂに枢支させ、その上に押さえ板２８を被せ、これをねじ３０で取付板２４に止めることにより、取付板２４に対して回動自在に支持される。
【００１３】
前記海水取水管１８の取水口１８ａは、図１（イ）に示すように、前記取付部１４の取付管２６内に下側から挿入して取付管２６に固定支持させ、取水口取付スタンド１の取付部１４に対し、図１（イ）の左右方向に回動自在に取り付けられる。なお、取付管２６へ海水取水管１８の取水口１８ａを挿入する作業は、取付管２６を取付板２４に枢着させる以前に行うようにしても良い。
【００１４】
本発明の特徴は、前記スタンド本体１２を構成するパイプ体１６を水密構造にし、そのパイプ体１６内に水を充填して密閉することにある。パイプ体１６を水密構造にするには、例えば、図４に示すように、パイプ体１６に設けた海水、淡水、油水等の水を供給する水供給穴１６ａとパイプ体１６内の該水を抜く水抜き穴１６ｂとを除き、該パイプ体１６の両端末部等から前記水が自由に出入りしないように塞いでおくことにより行う。複数のパイプ体１６の内部が相互に連通されている場合には、複数のパイプ体１６を１本のパイプ体１６と見なして水密構造にする。複数のパイプ体１６が相互に連結されていても内部が相互に連通されておらず、独立している場合には、パイプ体１６毎に水密構造にする。図１（イ）（ロ）に示す構成のものは、例えば、スタンド本体１２の複数のパイプ体１６が相互に連通されている構成のものを採用している。そして、そのベース２０の両裾部に水供給穴１６ａを設け、三脚部２２の各パイプ体１６に水抜き穴１６ｂを設けてある。
【００１５】
スタンド本体１２のパイプ体１６内に、例えば、海水を充填して密閉するには、図５に示すように、取水口取付スタンド１０の取付部１４に海水取水管１８の取水口１８ａを取り付けた後、この取水口取付スタンド１０を作業船３２から吊り下げられたワイヤー３４に取り付ける。次に、ワイヤー３４を降ろして、取水口取付スタンド１０を海面３５近くの海中に沈める。そうすると、スタンド本体１２を構成するパイプ体１６内に、前記水供給穴１６ａと水抜き穴１６ｂから海水が速やかに侵入して充填される。パイプ体１６内に海水が充填されたら、上記海中下で、前記水供給穴１６ａと水抜き穴１６ｂに栓３６、３７を押し込み又はねじ込み等により取り付け、パイプ体１６内に充填された海水を密閉する。このようにして、前記スタンド本体１２のパイプ体１６に海水が充填密閉された取水口取付スタンド１０を、ワイヤー３４を降ろしながら、海底３８に向けて沈めて行き、所定水深の海底３８に設置する。
【００１６】
このような構成の取水口取付スタンド１０に海水取水管１８の取水口１８ａを取り付け、揚水ポンプ（図示せず）により、海水取水管１８の取水口１８ａから海水を取り入れ、海水取水管１８内を通して陸上、作業船上等へ揚水する。取水口取付スタンド１０を使用中、前記パイプ体１６に充填された海水が密閉されて該パイプ体内で対流を起こさないから、パイプ体１６の内壁面に形成される錆の進行を可及的に抑えることができ、該パイプ体１６の内壁面を有効に防錆することができ、取水口取付スタンド１０の寿命を延ばすことが可能になる。また、パイプ体１６内に海水が充填密閉されているので、これに外側から高水圧が作用しても、パイプ体１６が潰れるのを防止することができる。
【００１７】
なお、取水口取付スタンド１０の前記パイプ体１６内に海水を充填して密閉する作業は、前記したような海中ではなく、作業船３２や陸上等において、予め行っておいてもよい。また、パイプ体１６内に充填する水は前記海水以外に工業用水、飲料水といった淡水、油水等を使用してもよい。また、水供給穴１６ａと水抜き穴１６ｂは独立したパイプ体１６毎に設けるが、これらを設ける位置や個数は前記実施形態のもの以外に種々のバリエーションを選択することができる。更に、前記実施形態では、水供給穴１６ａと水抜き穴１６ｂの両方を設けたが、水供給穴１６ａだけとし、水供給穴１６ａで水抜きを兼用するようにしてもよい。
【００１８】
【発明の効果】
以上説明したように、本発明の取水口取付スタンドは、パイプ体により形成されたスタンド本体と、海水取水管の取水口を取り付ける取付部とを備えたものにおいて、前記スタンド本体のパイプ体を水密構造にし、そのパイプ体内に水を充填して密閉して構成されるので、取水口取付スタンドを海底に設置して使用しても、前記パイプ体に充填された水が密閉されて該パイプ体内で対流を起こさず、パイプ体の内壁面に形成される錆の進行を可及的に抑えることができ、該パイプ体の内壁面を有効に防錆することができる。
【００１９】
また、該パイプ体の機械的強度が短期間に低下せず、取水口取付スタンドが短期間に破損しないので、海水取水管の取水口が長期間にわたり所定高さ位置に保持することが可能になり、海水を長期間安定して揚水することができる。また、取水口取付スタンドが短期間で破損しないので、その寿命を延ばすことができるほか、これを海底から引き上げて修理したり、新しいものと取り換えたりする面倒な作業を相当後に延ばすことができ、メンテナンスも容易になる。
【００２０】
更に、前記パイプ体内には水を充填して密閉したことにより、海底に設置された取水口取付スタンドのパイプ体に外部から高水圧が作用しても、パイプ体内にはこの圧力とバランスする同じ大きさの内水圧が作用するから、パイプ体自体には外力が作用せず、該パイプ体の潰れを防止することもできる。
【図面の簡単な説明】
【図１】本発明に係る海水取水管の取水口取付スタンドの一実施形態を示すもので、（イ）は正面図、（ロ）は平面図である。
【図２】上記取水口取付スタンドの取付部の一例を示すもので、（イ）は分解平面図、（ロ）は分解正面図である。
【図３】上記取付部の組立図である。
【図４】上記取水口取付スタンドにおけるスタンド本体のパイプ体の水密構造を部分的に示す一部省略断面図である。
【図５】上記タンド本体のパイプ体内に海水を充填して密閉する状態を示す説明図である。
【図６】従来の取水口取付スタンドの構成を示すもので、（イ）は正面図、（ロ）は平面図である。
【符号の説明】
１０    取水口取付スタンド
１２    スタンド本体
１４    取付部
１６    パイプ体
１６ａ  水供給穴
１６ｂ  水抜き穴
１８    海水取水管
１８ａ  取水口
２０    ベース
２２    三脚部
２４    取付板
２４ａ  組込み溝
２４ｂ  枢着溝
２６    取付管
２６ａ  突出ピン
２８    押さえ板
３０    ねじ
３２    作業船
３４    ワイヤー
３５    海面
３６    栓（水供給穴用）
３７    栓（水抜き穴用）
３８    海底
【図１】
0003725446.tif 000002
【図２】
0003725446.tif 000003
【図３】
0003725446.tif 000004
【図４】
0003725446.tif 000005
【図５】
0003725446.tif 000006
【図６】
0003725446.tif 000007